(57)【要約】【課題】データの良否の判断ではなく、定常波形から外れた波形データを検出する方法をとることにより、簡易な構成で回転機器の異常状態を検出できる異常監視装置を提供する。【解決手段】定常振動をする機器の異常を検出する異常監視装置において、機器の振動波形の波形データを検出する波形データ検出手段１と、定常状態において波形データ検出手段１で検出された波形データを蓄積する波形メモリ４と、波形メモリ４に蓄積した波形データの特徴値から標準値及び標準偏差を算出する基準値設定手段２１と、波形データ検出手段１によって新たに検出された新規波形データの特徴値が標準値を基準とした標準偏差の範囲内にあるかどうかを判定するデータ判定手段２２と、データ判定手段２２において新規波形データが標準値を基準とした標準偏差の範囲外であった場合、警告を発する警告発報手段５と、を備えた。【選択図】  図１
2007127554.tif 000002
【特許請求の範囲】
【請求項１】
定常振動をする機器の異常を検出する異常監視装置において、
機器の振動波形の波形データを検出する波形データ検出手段と、
機器の定常状態において波形データ検出手段で検出された波形データを蓄積する波形メモリと、
波形メモリに蓄積した波形データの特徴値から標準値及び標準偏差を算出する基準値設定手段と、
波形データ検出手段によって新たに検出された新規波形データの特徴値が標準値を基準とした標準偏差の範囲内にあるかどうかを判定するデータ判定手段と、
データ判定手段において新規波形データが標準偏差の範囲外であった場合、警告を発する警告発報手段と、
を備えたことを特徴とする異常監視装置。
【請求項２】
異常監視装置の状態をモニターする外部機器との間でデータの送受信を行うＬＡＮポートを備えたことを特徴とする請求項１記載の異常監視装置。
【請求項３】
異常監視装置の状態をモニターする外部機器との間でのデータの送受信を無線で行うことを特徴とする請求項１記載の異常監視装置。
【発明の詳細な説明】
【技術分野】
【０００１】
本発明は定常振動をする回転機器等の異常監視装置に関するものである。
【背景技術】
【０００２】
一般に電動機や内燃機関を回転力の駆動源として回転駆動される各種の回転機器が提供されている。この種の回転機器に何らかの異常が生じたときには、定常時とは異なる振動や音が発生することが知られており、このような状態で運転を継続すると場合によっては回転機器が破損することもある。
【０００３】
従来では、人間の視覚、聴覚、嗅覚等を用いて検査を行い、異常の兆候を検知することで未然に事故防止の対策が行われていた。しかしながら、工場においては回転機器等の設備数が多大なために、全ての設備を点検するには時間と労力がかかってしまう。
【０００４】
又、人間による検査であるために、その判断基準が人様々であり、同じ人が検査したとしても、検査日によって判断基準が異なってしまい、曖昧な部分があった。
【０００５】
上記課題を解決するために、特許文献１のように、回転機器より発生する振動や音のような波形データを検出し、回転機器の異常時における周波数特徴量−時間変化の組を異常原因別に予め登録した基準データと照合することにより回転機器の異常の有無および異常原因を特定する回転機器の異常診断装置が知られている。
【特許文献１】特開平１０−２７４５５８号公報
【発明の開示】
【発明が解決しようとする課題】
【０００６】
本発明は上記事由に鑑みて為されたものであり、その目的は、データの良否の判断ではなく、定常波形から外れた波形データを検出する方法をとることにより、簡易な構成で回転機器の異常状態を検出できる異常監視装置を提供することにある。
【課題を解決するための手段】
【０００７】
請求項１に係る発明の異常監視装置は、定常振動をする機器の異常を検出する異常監視装置において、機器の振動波形の波形データを検出する波形データ検出手段と、定常状態において波形データ検出手段で検出された波形データを蓄積する波形メモリと、波形メモリに蓄積した波形データの特徴値から標準値及び標準偏差を算出する基準値設定手段と、波形データ検出手段によって新たに検出された新規波形データの特徴値が標準値を基準とした標準偏差の範囲内にあるかどうかを判定するデータ判定手段と、データ判定手段において新規波形データが標準値を基準とした標準偏差の範囲外であった場合、警告を発する警告発報手段と、を備えたことを特徴とする。
【０００８】
請求項２に係る発明の異常監視装置は、請求項１記載の異常監視装置において、異常監視装置の状態をモニターする外部機器との間でデータの送受信を行うＬＡＮポートを備えたことを特徴とする。
【０００９】
請求項３に係る発明の異常監視装置は、請求項１記載の異常監視装置において、異常監視装置の状態をモニターする外部機器との間で行われるデータの送受信を無線で行うことを特徴とする。
【発明の効果】
【００１０】
請求項１に係る発明の異常監視装置によれば、機器の振動波形の波形データを検出する波形データ検出手段と、定常状態において波形データ検出手段で検出された波形データを蓄積する波形メモリと、波形メモリに蓄積した波形データの特徴値から標準値及び標準偏差を算出する基準値設定手段と、波形データ検出手段によって新たに検出された新規波形データの特徴値が標準値を基準とした標準偏差の範囲内にあるかどうかを判定するデータ判定手段と、データ判定手段において新規波形データが標準値を基準とした標準偏差の範囲外であった場合、警告を発する警告発報手段と、を備えたことにより、波形を表示する表示部や、外部記憶装置等を設ける必要がなく、異常監視装置の構成を簡易にできるとともに、定常状態の波形データのみから標準値及び標準偏差を求めることにより、回転機器の異常を自動的に判断できて、設備の安全性を確保することができる。
【００１１】
請求項２に係る発明の異常監視装置によれば、請求項１の発明の効果に加えて、異常監視装置がローカルエリアネットワーク（ＬＡＮ）に接続するＬＡＮポートを有することにより、通常、立ち入りが困難な環境下でも回転機器等の異常を監視することができる。
【００１２】
請求項３に係る発明の異常監視装置によれば、請求項１の発明の効果に加えて、異常監視装置の状態をモニターする外部機器との間で行われるデータの送受信を無線で行うことにより、有線のＬＡＮ配線を行うことができない場所でも、回転機器等の異常を監視することができる。
【発明を実施するための最良の形態】
【００１３】
以下、図１〜図３に基づいて本発明の異常監視装置について説明する。図１〜３は、本発明の異常監視装置の構成を示したブロック図である。
【００１４】
本発明の異常監視装置は、図１に示すように、波形データ検出手段１と演算処理装置２と、該演算処理装置２の制御プログラムが格納されているプログラムメモリ３と、検出された波形が取り込まれる波形メモリ４と、後述する警告発報手段５とで構成されている。
【００１５】
波形データ検出手段１は、回転機器の軸受等に取り付けられ回転機器の振動を検出する振動センサ１１と、該振動センサ１１により取り込んだ信号波形を増幅する増幅器１２と、波形のノイズを除去するフィルタ１３と、Ａ／Ｄ変換器１４とで構成されている。
【００１６】
演算処理装置２は波形メモリ４に蓄積された波形データの特徴値から標準値及び標準偏差を算出する基準値設定手段２１と、新規に波形メモリ５に取り込まれた新規波形データの特徴値が、基準値設定手段２１で設定された標準値を基準とした標準偏差内にあるかどうかを判定するデータ判定手段２２とを有している。
【００１７】
警告発報手段５は、データ判定手段２２において、新規波形データの特徴値が標準偏差から外れていた場合、回転機器が異常であるとの警告を発する。
【００１８】
次に、本発明の異常監視装置の動作について図１を用いて詳しく説明する。まず、回転機器の定常状態における波形データを取り込む方法について説明する。
【００１９】
始めに、振動センサ１１が定常時の回転機器の機械的振動の波形データを電気信号に変換し、増幅器１２に入力される。増幅器１２で増幅された波形データはノイズが含まれているので、次段のフィルタ１３によってノイズが除去される。ノイズが除去された波形データはＡ／Ｄ変換器１４によりデジタル化される。このデジタル化された波形データは、演算処理装置２を介して、波形メモリ４に格納される。
【００２０】
以上のようにして、回転機器が定常状態である時の複数の波形データが波形メモリ４に格納される。
【００２１】
次に、演算処理装置２の基準値設定手段２１は、波形メモリ４に格納された複数の波形データの特徴値から標準値（平均値）を算出し、その標準値に基づいて標準偏差を算出する。
【００２２】
このような状態で回転機器が運用された場合、新たな波形データである新規波形データが振動センサ１１より検出される。この新規波形データは、増幅器１２で増幅され、フィルタ１３でノイズが除去され、Ａ／Ｄ変換器１４でデジタル化された後に演算制御装置２のデータ判定手段２２に入力される。
【００２３】
データ判定手段２２では、基準値設定手段２１で設定された標準値及び標準偏差に基づいて、新規波形データの特徴値が予め算出された標準値を基準とした標準偏差内にあるかどうかを判定する。新規波形データの特徴値が標準値を基準とした標準偏差内にある場合は、回転機器が定常運転を行っているとして判定され、現状の運転を続ける。一方、新規波形データの特徴値が標準値を基準とした標準偏差から外れている場合は、回転機器に異常が起きたと判断され、警告発報手段５より警報が発されて、回転機器の運転を停止する。
【００２４】
かかる異常監視装置によれば、波形を表示する表示部や、外部記憶装置等を設ける必要がなく、異常監視装置の構成を簡易にすることができるとともに、定常状態の波形データのみから、標準値及び標準偏差が求められ、回転機器の異常を自動的に判断できて、設備の安全性を確保することができる。
【００２５】
なお、本発明の異常監視装置に、ＬＡＮポート６が設けられていてもよい。図２に示すように、演算処理装置２にローカルエリアネットワーク（ＬＡＮ）に接続可能な複数のＬＡＮポート６が接続されている。このＬＡＮポート６により、複数の外部機器（例えば、パーソナルコンピュータ）等と通信を行い、遠隔地から回転機器の異常を判断することができる。
【００２６】
又、本発明の異常監視装置に、外部と無線で通信を行うことができる無線ＬＡＮポートの役割を果たす外部通信部７が設けられていてもよい。図３に示すように、演算処理装置２に外部通信部７が接続されている。この外部通信部７により、異常監視装置の状態をモニターする外部機器との間で行われるデータの送受信を無線で行うことにより、有線のＬＡＮ配線を行うことができない場所でも、回転機器等の異常を監視することができる。
【図面の簡単な説明】
【００２７】
【図１】本発明の異常監視装置の一実施形態の構成を示したブロック図である。
【図２】本発明の異常監視装置の一実施形態の構成を示したブロック図である。
【図３】本発明の異常監視装置の一実施形態の構成を示したブロック図である。
【符号の説明】
【００２８】
１    波形データ検出手段
２    演算処理装置
２１  基準値設定手段
２２  データ判定手段
４    波形メモリ
５    警告発報手段
６    ＬＡＮポート
７    外部通信部
【図１】
2007127554.tif 000003
【図２】
2007127554.tif 000004
【図３】
2007127554.tif 000005